(57)【要約】【課題】光発生器を遮蔽し光線を拡散する効果に達する優れた材料を有している直下式バックライトユニットとエッジ式バックライトユニットを提供することを目的とする。【解決手段】光線を発生させる一つの又は複数の光発生器３３と、前記光発生器の下方に位置し、光線を反射する反射板３２と、前記光発生器の上方に位置し、前記光発生器を遮蔽し光線を分散する透光性織物３４とを備えた直下式バックライトユニット３０Ｄを提供する。さらに、導光板４５と、前記導光板の側辺に位置し、光線を発生させる一つの又は複数の光発生器４１と、前記導光板の下方に位置し、光線を反射する反射片４４と、前記光発生器の上方に位置し、光線を分散する透光性織物４６とを備えたエッジ式バックライトユニット３０Ｅを提供する。【選択図】図３
0003121947.tif 000002
【実用新案登録請求の範囲】
【請求項１】
液晶表示装置に応用する直下式バックライトユニットであって、
光線を発生させる一つの又は複数の光発生器と、
前記光発生器の下方に位置し、光線を反射する反射板と、
前記光発生器の上方に位置し、前記光発生器を遮蔽し光線を分散する透光性織物と
を備えた直下式バックライトユニット。
【請求項２】
前記透光性織物がナイロン、ポリエステル、ポリエチレン又は金属線からなる請求項１に記載の直下式バックライトユニット。
【請求項３】
前記透光性織物が単一繊維によって織られ、結果として生じる透光性織目が三角形、四角形、円形又は楕円形である請求項１に記載の直下式バックライトユニット。
【請求項４】
前記透光性織物が多繊維によって織られ、結果として生じる透光性織目が三角形、四角形、円形又は楕円形である請求項１に記載の直下式バックライトユニット。
【請求項５】
前記透光性織物の下方に位置し、該透光性織物を固定する透光層を有している請求項１に記載の直下式バックライトユニット。
【請求項６】
前記透光性織物の上方に位置し、該透光性織物を固定する透光層を有している請求項１に記載の直下式バックライトユニット。
【請求項７】
前記透光層がガラス、アクリル、ポリカーボネート又はメタクリルスチレンからなる請求項５に記載の直下式バックライトユニット。
【請求項８】
前記光発生器が冷陰極蛍光管である請求項１に記載の直下式バックライトユニット。
【請求項９】
前記光発生器が発光ダイオードである請求項１に記載の直下式バックライトユニット。
【請求項１０】
前記透光性織物の上に位置するプリズム板を有している請求項１に記載の直下式バックライトユニット。
【請求項１１】
前記プリズム板の上に位置する拡散板を有している請求項１０に記載の直下式バックライトユニット。
【請求項１２】
前記プリズム板の上に位置する透光性織物を有している請求項１０に記載の直下式バックライトユニット。
【請求項１３】
液晶表示装置に応用するエッジ式バックライトユニットであって、
導光板と、
前記導光板の側辺に位置し、光線を発生させる一つの又は複数の光発生器と、
前記導光板の下方に位置し、光線を反射する反射片と、
前記光発生器の上方に位置し、光線を分散する透光性織物と
を備えたエッジ式バックライトユニット。
【請求項１４】
前記透光性織物がナイロン、ポリエステル、ポリエチレン又は金属線からなる請求項１３に記載のエッジ式バックライトユニット。
【請求項１５】
前記透光性織物が単一繊維によって織られ、結果として生じる透光性織目が三角形、四角形、円形又は楕円形である請求項１３に記載のエッジ式バックライトユニット。
【請求項１６】
前記透光性織物が多繊維によって織られ、結果として生じる透光性織目が三角形、四角形、円形又は楕円形である請求項１３に記載のエッジ式バックライトユニット。
【請求項１７】
前記光発生器の周囲をカバーし、光線を反射する反射カバーを有している請求項１３に記載のエッジ式バックライトユニット。
【請求項１８】
前記光発生器が冷陰極蛍光管である請求項１３に記載のエッジ式バックライトユニット。
【請求項１９】
前記光発生器が発光ダイオードである請求項１３に記載のエッジ式バックライトユニット。
【請求項２０】
前記透光性織物の上に位置するプリズム板を有している請求項１３に記載のエッジ式バックライトユニット。
【請求項２１】
前記プリズム板の上に位置する拡散板を有している請求項１９に記載のエッジ式バックライトユニット。
【請求項２２】
前記プリズム板の上に位置する透光性織物を有している請求項１９に記載のエッジ式バックライトユニット。
【考案の詳細な説明】
【技術分野】
【０００１】
本考案は直下式バックライトユニット及びエッジ式バックライトユニットに関し、特に透光性織物と化学塗料を用いる作業で光線を遮蔽し拡散する効果に達するバックライトユニットに関する。
【背景技術】
【０００２】
ディスプレイについての技術の急激な発展につれて、液晶表示装置を使用することがだんだん普及してきた。液晶表示装置は一般的にバックライトユニットを光源とする。バックライトユニットは二種類に分ける。つまり、直下式バックライトユニット及びエッジ式バックライトユニットがある。主な差別は構造が違うだけでなく、応用の範囲も異なる。エッジ式バックライトユニットは多分ラップトップコンピュータ、ピーディーエーなどの小型ディスプレイ又は卓上用のコンピュータに応用する。一方、直下式バックライトユニットは液晶テレビなどの大型液晶ディスプレイに応用する。本考案は主に直下式バックライトユニットの拡散板を改良することを特徴とする。以下は、従来の直下式バックライトユニットに対して詳しく説明する。
【０００３】
直下式バックライトユニットとしては、従来より図１に示したようなものがある。この図に示した直下式バックライトユニット１０は、フレーム１１、反射板１２、複数の光発生器１３、導光板１４、下拡散板１５、プリズム片１６、上拡散板１７及び液晶ディスプレイ１８を有している。反射板１２はフレーム１１に配置され、直下式バックライトユニット１０の底部に設置される。反射板１２の作用は光発生器１３からの光を反射してゆくことである。光発生器１３はバックライトユニットの光源として配置される。導光板１４は光発生器１３をカバーするようにして反射板１２に設置される。導光板１４の作用は光線を引導して導光板１４を通させることである。導光板１４の上に光発生器１３を遮蔽し光線を拡散するための拡散板１５が設置される。拡散板１５の上に光線を集中し輝度を増加するためのプリズム片１６が配置される。その上に遮蔽効果を増進し輝度を増加するための上拡散板１７が配置される。一番上には表示用の液晶ディスプレイ１８がある。
【０００４】
エッジ式バックライトユニットとしては、従来より図２に示したようなものがある。この図に示したエッジ式バックライトユニット２０は、光発生器２１、反射カバー２２、フレーム２３、反射片２４、導光板２５、拡散板２６、プリズム片２７及び液晶ディスプレイ２８を有している。エッジ式バックライトユニットには、光線がエッジから発生するので、輝度が不足になりやすい。したがって、エッジ式バックライトユニットは一般的に小型の液晶表示装置に応用される。導光板２５はフレーム２３に配置され、エッジにある光発生器２１からの光線を拡散してゆくようにして設置される。導光板２５の下に反射片２４がある。反射片２４の作用は、光発生器２１をカバーしている反射カバー２２の作用と同じで、光線を反射し光線の使用率を増進することである。導光板２５に光線を拡散し液晶表示装置の視角を増進するための拡散板２６が設置される。拡散板２６の上に光線を集中し輝度を増加するためのプリズム片２７の数量を増加してもよい。一番上には表示用の液晶ディスプレイ２８がある。
【０００５】
上記直下式バックライトユニット１０及びエッジ式バックライトユニット２０において、光線を均一に拡散するために、一般に印刷方法で拡散板に印刷点を形成し光発生器を遮蔽する効果に達する。しかし、インクが光線を吸収、反射することもできるので、光線の使用率を低下させる。十分な輝度に達するため、もう一つのプリズム片１６を加えなければならない。
【０００６】
その上に、該導光板は一般的にアクリルからなるので、耐熱性もよくなく、温度が高くなったら変形になりやすい。すると、変形後の該導光板は光線を反射する表現も低下し、そのコストも高くなる。
【０００７】
米国特許第６，８７１，９７９号明細書に記載の直下式バックライトユニットは現在広く一般に使用されている直下式バックライトユニットである。米国特許第６，８８０，９４７号明細書に記載の直下式バックライトユニットには、一般的に散熱板で光発生器からの温度を低減し導光板と拡散板に悪影響を及ぼさないようにする。さらに、真空設計によって断熱の効果を増進してもよい。
【０００８】
その結果、光線も引導でき高熱も耐えるでけでなく、光線を拡散する効果に達する材料を提供する課題が現れる。
【考案の開示】
【考案が解決しようとする課題】
【０００９】
上記した課題を解決するために、本考案では次の技術的手段を講じている。すなわち、光発生器を遮蔽し光線を拡散する効果に達する優れた材料を有している直下式バックライトユニットとエッジ式バックライトユニットを提供することを目的とする。
【課題を解決するための手段】
【００１０】
上記目的を達成するための本考案に係る直下式バックライトユニットは、液晶表示装置に応用する直下式バックライトユニットであって、光線を発生させる一つの又は複数の光発生器と、前記光発生器の下方に位置し、光線を反射する反射板と、前記光発生器の上方に位置し、前記光発生器を遮蔽し光線を分散する透光性織物とを備えたことを特徴とするものである。
【００１１】
上記の直下式バックライトユニットにおいて、前記透光性織物がナイロン、ポリエステル、ポリエチレン又は金属線からなることを特徴とする。
【００１２】
上記の直下式バックライトユニットにおいて、前記透光性織物が単一繊維又は多繊維によって織られ、結果として生じる透光性織目が三角形、四角形、円形又は楕円形である。
【００１３】
上記の直下式バックライトユニットにおいて、前記透光性織物の下方又は上方に位置し、該透光性織物を固定する透光層を有していることを特徴とする。
【００１４】
上記の直下式バックライトユニットにおいて、前記透光層がガラス、アクリル、ポリカーボネート又はメタクリルスチレンからなることを特徴とする。
【００１５】
上記の直下式バックライトユニットにおいて、前記光発生器が冷陰極蛍光管である。
【００１６】
上記の直下式バックライトユニットにおいて、前記光発生器が発光ダイオードである。
【００１７】
上記の直下式バックライトユニットはさらに、前記透光性織物の上に位置するプリズム板を有している。
【００１８】
上記の直下式バックライトユニットはさらに、前記プリズム板の上に位置する拡散板を有している。
【００１９】
上記目的を達成するための本考案に係るエッジ式バックライトユニットは、液晶表示装置に応用するエッジ式バックライトユニットであって、導光板と、前記導光板の側辺に位置し、光線を発生させる一つの又は複数の光発生器と、前記導光板の下方に位置し、光線を反射する反射片と、前記光発生器の上方に位置し、光線を分散する透光性織物とを備えたことを特徴とするものである。
【００２０】
上記のエッジ式バックライトユニットにおいて、前記透光性織物がナイロン、ポリエステル、ポリエチレン又は金属線からなることを特徴とする。
【００２１】
上記のエッジ式バックライトユニットにおいて、前記透光性織物が単一繊維によって織られ、結果として生じる透光性織目が三角形、四角形、円形又は楕円形である。
【００２２】
上記のエッジ式バックライトユニットにおいて、前記透光性織物が多繊維によって織られ、結果として生じる透光性織目が三角形、四角形、円形又は楕円形である。
【００２３】
上記のエッジ式バックライトユニットはさらに、前記光発生器の周囲をカバーし、光線を反射する反射カバーを有している。
【００２４】
上記のエッジ式バックライトユニットにおいて、前記光発生器が冷陰極蛍光管である。
【００２５】
上記のエッジ式バックライトユニットにおいて、前記光発生器が発光ダイオードである。
【００２６】
上記のエッジ式バックライトユニットはさらに、前記透光性織物の上に位置するプリズム板を有している。
【００２７】
上記のエッジ式バックライトユニットはさらに、前記プリズム板の上に位置する拡散板を有している。
【００２８】
上記のエッジ式バックライトユニットはさらに、前記プリズム板の上に位置する透光性織物を有している。
【考案の効果】
【００２９】
以上のように構成された本考案は従来の技術の拡散板を改良し、より効果に達し、液晶表示器のプロセス、コスト及び機能などを増進することができる。
【００３０】
本考案のその他の利点及び特徴については、以下に行う考案の実施の形態の説明から、より明らかとなるであろう。
【考案を実施するための最良の形態】
【００３１】
以下、本考案の好ましい実施の形態を、図面を参照しつつ具体的に説明する。図３は本考案の第１の実施の形態に係る直下式バックライトユニットの断面図である。直下式バックライトユニット３０Ｄはフレーム３１、反射板３２、複数の光発生器３３、透光性織物３４及び上拡散板３７を有している。フレーム３１はバックライトユニットの基盤として直下式バックライトユニット３０の各構成要素を支える。反射板３２はフレーム３１の上に設置され、光発生器３３からの光線を反射してゆくものである。あまり多くの熱を発生させないように、冷陰極蛍光管又は発光ダイオードを光発生器３３とする。光発生器３３の作用は光線を発生させることである。一番上には映像を表示する液晶ディスプレイ３８がある。
【００３２】
本考案には透光性織物３４が従来の拡散板の代用になる。透光性織物３４は光発生器３３を遮蔽する効果だけでなく、光線を拡散する効果も達する。透光性織物３４を使用するのは、バックライトユニットの輝度を維持することのみならず、コストを低くすることもできる。さらに、織物３４はより素敵な耐熱性を持ち、生地が柔らかなものである。その硬さを高めるため、織物３４の上に一層の化学材料をコーティングしてもよい。コーティングした板状物（以下、Ｅ板と称する）は一般に光発生器３３の上方に設置される。ほかに、拡散板として、透光性織物３４は粘着手段でアクリル板又はガラス板等の透明材質の上に粘りつくことも好ましい。
【００３３】
上拡散板３７は光発生器３３を遮蔽し光線を拡散する程度を増進するために配置される。
【００３４】
図４及び図５はそれぞれ本考案の第２及び第３の実施の形態に係る直下式バックライトユニットの断面図である。図４の直下式バックライトユニットには、図３のＥ板３４と光発生器３３の間に導光板３５が設置される。導光板３５は透明なガラス、アクリル、ポリカーボネート又はメタクリルスチレンからなってもよい。導光板３５の作用はＥ板３４に入る光線を増加し光線の利用率を増進することである。こんな導光板はＥ板の上方又は下方に設置されてもよい。
【００３５】
図５は本考案の第３の実施の形態に係る直下式バックライトユニットを示している。プリズム片３６が図４の上拡散板３７の下方に配置される。そうしたら、光線を拡散し集中し、液晶表示器の明度、輝度を増進する効果に達する。さらに、導光板３５の設置される位置はＥ板の位置を取り替えてもよい。
【００３６】
図６は本考案の実施の形態に係るエッジ式バックライトユニットを示している。エッジ式バックライトユニット３０Ｅは光発生器４１、反射カバー４２、フレーム４３、反射片４４、導光板４５、透光性織物４６、プリズム片４７及び液晶ディスプレイ４８を有している。光線を拡散する機能を持つ従来の拡散板の代わりに、本考案のエッジ式バックライトユニット３０Ｅは透光性織物４６を利用する。透光性織物４６は上記したＥ板のように製造されてもよい。液晶表示器の輝度と視角によっては、図６の示したように透光性織物４６の上にプリズム片４７と拡散板、又はもう一層の透光性織物４６を設置する場合も好ましい。
【００３７】
図７は本考案の透光性織物の拡大図である。図７が示したように、本考案の透光性織物は織目がある。図７の示した織目は四角形であるが、織り方によって斜方形、三角形又は円形などの織目もある。それらの織目では光線を通させ拡散する効果に達する。そのうえ、目が詰んだ織物は有効に光発生器３３を遮蔽し、液晶表示器の前端に光発生器３３の形状を見えないようにする機能がある。こんな透光性織物の利用は従来の導光板と下拡散板の同じ効果に達することができる。その製造方法も易しいし、従来の導光板と下拡散板に比べてそのコストも低い。こんな透光性織物は耐熱性が高いので、光発生器３３からの高温に耐える性質がある。
【００３８】
以上のように構成された本考案は従来の技術の拡散板を改良し、より効果に達し、液晶表示器のプロセス、コスト及び機能などを増進することができる。
【００３９】
上記実施形態は本考案の技術的手段をより具体的に説明するために挙げたもので、本考案の技術的思想は決してこれに限定されるものでなく、添付クレームの範囲を逸脱しない限り、当業者による単純な設計変更、付加などはいずれも本考案の技術的範囲に属する。
【図面の簡単な説明】
【００４０】
【図１】従来の直下式バックライトユニットの断面図である。
【図２】従来のエッジ式バックライトユニットの断面図である。
【図３】本考案の第１の実施の形態に係る直下式バックライトユニットの断面図である。
【図４】本考案の第２の実施の形態に係る直下式バックライトユニットの断面図である。
【図５】本考案の第３の実施の形態に係る直下式バックライトユニットの断面図である。
【図６】本考案の実施の形態に係るエッジ式バックライトユニットの断面図である。
【図７】本考案の透光性織物の拡大図である。
【符号の説明】
【００４１】
１０…従来のバックライトユニット
１１…フレーム
１２…反射板
１３…光発生器
１４…導光板
１５…下拡散板
１６…プリズム板
１７…上拡散板
１８…液晶ディスプレイ
３０Ｄ…本考案の直下式バックライトユニット
３１…フレーム
３２…反射板
３３…光発生器
３４…透光性織物
３５…導光板
３６…プリズム板
３７…上拡散板
３８…液晶ディスプレイ
３０Ｅ…本考案のエッジ式バックライトユニット
４１…光発生器
４２…反射カバー
４３…フレーム
４４…反射片
４５…導光板
４６…透光性織物
４７…プリズム片
４８…液晶ディスプレイ
【図１】
0003121947.tif 000003
【図２】
0003121947.tif 000004
【図３】
0003121947.tif 000005
【図４】
0003121947.tif 000006
【図５】
0003121947.tif 000007
【図６】
0003121947.tif 000008
【図７】
0003121947.tif 000009